(57)【要約】【課題】複数の電力系統を一つの制御室で監視制御する場合に、電力系統ごとの監視体制の独立性を保つ。【解決手段】電力系統監視制御装置１００の系統監視盤２はシステムＡ，Ｂの監視制御画面を表示する。制御室２００に配置された操作卓４１〜４Ｎの操作卓用電子計算機４１がシステムＡ，Ｂの機器に対する操作入力を受け付ける。指向性スピーカ３２１〜３２Ｎが操作卓４１〜４Ｎの周囲に配置される。電子計算機１は、システムＡ，Ｂから取得した情報又は操作卓用電子計算機４１によるシステムＡ，Ｂの機器に対する操作入力に基づいて、システムＡ，Ｂに関する音声情報を生成し、指向性スピーカ３２１〜３２Ｎに出力する。出力範囲制御装置３３は、音声情報がシステムＡ，Ｂごとに特定範囲のみに通知されるように、指向性スピーカ３２１〜３２Ｎの音声出力範囲を制御する。【選択図】図１
2015228769.tif 000002
【特許請求の範囲】
【請求項１】
複数の電力系統を監視可能な電力系統監視制御装置であって、
各電力系統の監視制御画面を表示する系統監視盤と、
特定領域に設置され、いずれかの電力系統の機器に対する操作入力を受け付ける入力部をそれぞれに備えた複数の操作卓と、
前記複数の操作卓の周囲に配置され、音声出力範囲を変更可能な指向性スピーカと、
各電力系統から取得した情報又は前記入力部による各電力系統の機器に対する操作入力に基づいて、各電力系統に関する音声情報を生成して前記指向性スピーカに出力する電子計算機と、
前記音声情報が、電力系統ごとに特定の範囲のみに通知されるように、前記指向性スピーカの音声出力範囲を制御する制御装置と、を備えることを特徴とする電力系統監視制御装置。
【請求項２】
前記電子計算機は、電力系統ごとに、当該電力系統に関する音声情報の通知範囲情報を記憶する記憶部を有し、前記指向性スピーカに対して各電力系統に関する音声情報を出力する際に、当該電力系統の通知範囲情報を前記制御装置に出力することを特徴とする請求項１記載の電力系統監視制御装置。
【請求項３】
前記電子計算機の記憶部は、前記特定領域における前記複数の操作卓を含む設備の配置を示すレイアウト図を記憶し、
前記複数の操作卓のうち、少なくとも一つの操作卓の入力部は、電力系統ごとに前記レイアウト図上への特定範囲の指定入力を受け付け、前記電子計算機は前記指定入力に基づいて前記記憶部に記憶させた当該電力系統の通知範囲情報を変更することを特徴とする請求項２記載の電力系統監視制御装置。
【請求項４】
前記電子計算機の記憶部は、各電力系統に対する前記複数の操作卓の割り当てを示す割り当て情報を記憶し、
前記入力部は、いずれかの電力系統についてレイアウト図上への特定範囲の指定入力を受け付けた際に、当該電力系統に割り当てられた操作卓の中で当該特定範囲に含まれていない操作卓がある場合には、警告を発することを特徴とする請求項３記載の電力系統監視制御装置。
【請求項５】
前記電子計算機の記憶部は、各電力系統に対する前記複数の操作卓の割り当てを示す割り当て情報を記憶し、
前記入力部は、いずれかの電力系統についてレイアウト図上への特定範囲の指定入力を受け付けた際に、当該電力系統に割り当てられていない操作卓が当該特定範囲に含まれている場合には、警告を発することを特徴とする請求項３記載の電力系統監視制御装置。
【請求項６】
前記入力部は、前記レイアウト図上に指定入力された特定範囲に少なくとも１つの操作卓が含まれていない場合に、指定入力を受け付けない旨の警告を発することを特徴とする請求項３記載の電力系統監視制御装置。
【請求項７】
前記系統監視盤は、各電力系統の監視制御画面を切り換え可能に表示する複数の表示部を有し、
前記記憶部は、各電力系統に対する前記複数の表示部及び前記複数の操作卓の割り当てを示す複数の割り当てパターンと、各割り当てパターンに対応する音声情報の通知範囲情報を記憶し、
前記電子計算機は、前記割り当てパターンに従って前記複数の表示部及び前記複数の操作卓に対して切り換え指令を出力する際に、前記制御装置に対して切り換えた割り当てパターンに対応する通知範囲情報を出力することを特徴とする請求項２〜６のいずれか一項に記載の電力系統監視制御装置。
【請求項８】
前記系統監視盤は、各電力系統の監視制御画面を切り換え可能に表示する複数の表示部を有し、
前記記憶部は、全ての表示部が正常に動作する場合の、各電力系統に対する前記複数の表示部及び前記複数の操作卓の割り当てを示す正常時割り当てパターンと、少なくとも一つの表示部が不良動作した場合の、残りの表示部及び前記複数の操作部の各電力系統に対する割り当てを示す不良時割り当てパターンと、前記正常時割り当てパターン及び前記不良時割り当てパターンにそれぞれ対応する音声情報の通知範囲情報を記憶し、
前記電子計算機は、前記正常時割り当てパターン又は不良時割り当てパターンに従って前記複数の表示部及び前記複数の操作卓に対して切り換え指令を出力する際に、前記制御装置に対して正常時割り当てパターン又は不良時割り当てパターンに対応する通知範囲情報を出力することを特徴とする請求項２〜６のいずれか一項に記載の電力系統監視制御装置。
【発明の詳細な説明】
【技術分野】
【０００１】
本発明の実施形態は、複数の電力系統を一元的に監視可能な電力系統監視制御装置に関する。
【背景技術】
【０００２】
電力系統監視制御装置は、電力系統の監視制御を行う施設、例えば、給電指令所を始めとする系統制御所、集中制御所、変電所の制御室等に設置される。
【０００３】
電力系統監視制御装置は、電力系統からの各種情報の取得と電力系統に対する操作指令の出力を行う電子計算機と、電力系統の系統図を含む監視制御画面を表示する系統監視盤と、監視員が電力系統に対する操作入力を行うことができる操作卓を備える。
【０００４】
操作卓では、監視制御業務を行うためのアプリケーションがインストールされた操作卓用電子計算機、モニタ及びマウス、キーボード等の入力装置が備えられている。電力系統監視制御装置の運用担当者はアプリケーションを起動し、モニタに系統図等の監視制御に関する情報を表示して、マウスやキーボード等の入力装置で電力系統に対する操作を行う。
【０００５】
電力系統監視制御装置には、さらにスピーカを備えたものもある。電力系統から取得する情報で、例えば事故情報は、監視制御画面に表示させるだけでなく警報を鳴らしていち早く運用担当者に通知する必要がある。そこで電子計算機は取得情報に応じた音声情報を生成して、スピーカから出力する。
【先行技術文献】
【特許文献】
【０００６】
【特許文献１】特開平５−９５６３１号公報
【発明の概要】
【発明が解決しようとする課題】
【０００７】
近年、それぞれ別の電力系統を監視する複数の制御所を統合し、大規模な一つの制御所において、より広範囲の複数の電力系統の監視を行うシステムが増加傾向にある。そのような複数の電力系統の監視を行う場合に、系統監視盤は、複数の表示部を区分けしてそれぞれの電力系統の系統図を表示し、かつ操作卓もグループ分けして各グループにおいて異なる電力系統の監視を行うこととなる。しかしながら、スピーカからは、すべての電力系統に対する警報や音声情報が出力されるため、運用担当者は、自分が担当ではない電力系統についても警報や音声情報を聞くことになってしまう。
【０００８】
系統事故が同時に多数発生した場合や繰り返して発生している場合には、警報はその都度制御室全体に通知される。他の電力系統の担当者にとって、そのような警報は監視制御業務の妨げとなり、誤操作を誘発し、電力系統の信頼性低下につながる可能性がある。
【０００９】
本実施形態の電力系統監視制御装置は、上記の問題を解決するために提案されたものであり、各電力系統に関する音声情報を任意の操作卓のみに通知することができ、同一制御室で複数の電力系統を監視制御する場合でも、電力系統ごとの監視体制の独立性を保ち、電力監視の信頼性を向上させることを目的とする。
【課題を解決するための手段】
【００１０】
上記目的を達成するために、実施形態の電力系統監視制御装置は、複数の電力系統を監視可能なものであり、各電力系統の監視制御画面を表示する系統監視盤と、特定領域に設置され、いずれかの電力系統の機器に対する操作入力を受け付ける入力部をそれぞれに備えた複数の操作卓と、前記複数の操作卓の周囲に配置され、音声出力範囲を変更可能な指向性スピーカと、各電力系統から取得した情報又は前記入力部による各電力系統の機器に対する操作入力に基づいて、各電力系統に関する音声情報を生成して前記指向性スピーカに出力する電子計算機と、前記音声情報が、電力系統ごとに特定範囲のみに通知されるように、前記指向性スピーカの音声出力範囲を制御する制御装置と、を備える。
【図面の簡単な説明】
【００１１】
【図１】第１実施形態に係る電力系統監視制御装置の構成を示すブロック図である。
【図２】第１実施形態に係る電力系統監視制御装置が設置された制御室のレイアウト図である。
【図３】データベースに記憶された表示装置及び操作卓の割り当て情報を示す図である。
【図４】指向性スピーカの設置例を示し、制御室を上から見た場合の模式図である。
【図５】指向性スピーカの設置例を示し、制御室を系統監視盤正面方向から見た場合の模式図である。
【図６】指向性スピーカの設置例を示し、制御室を系統監視盤側面方向から見た場合の模式図である。
【図７】電力系統ごとの音声情報の通知範囲の設定例を示す図である。
【図８】電力系統ごとの音声情報の通知範囲の設定例を示す図である。
【図９】通知範囲設定画面の一例を示す図である。
【図１０】第１実施形態に係る電力系統監視制御装置の音声通知動作を示すフローチャートである。
【図１１】第２実施形態に係る電力系統監視制御装置の構成を示すブロック図である。
【図１２】割り当てパターンファイルの一例を示す図である。
【図１３】割り当てパターンＰＴＮ１に対応する音声情報の通知範囲を示す図である。
【図１４】割り当てパターンＰＴＮ２に対応する音声情報の通知範囲を示す図である。
【図１５】第３実施形態に係る電力系統監視制御装置の構成を示すブロック図である。
【図１６】正常時及び不良時の割り当てパターンファイルの一例を示す図である。
【図１７】正常時割り当てパターンＮＯＲ１に対応する音声情報の通知範囲を示す図である。
【図１８】不良時割り当てパターンＡＬＭ１に対応する音声情報の通知範囲を示す図である。
【発明を実施するための形態】
【００１２】
以下、実施形態に係る電力系統監視制御装置について、図面を参照して説明する。
［第１実施形態］
［構成］
図１は、第１実施形態に係る電力系統監視制御装置１００の構成を示している。図２は、電力系統監視制御装置１００を用いて電力系統の制御監視を行う制御室２００のレイアウトの一例を示している。実施形態の電力系統監視制御装置１００は複数の電力系統を監視可能なものであり、電力系統の数に特に制限はないが、ここでは、同一制御室２００内でシステムＡ及びシステムＢの、２つの電力系統の監視制御を行う例を説明する。
【００１３】
電力系統監視制御装置１００は、ネットワークを介して各システムＡ，Ｂと通信を行う電子計算機１を備えている。電力系統監視制御装置１００は、また、系統監視盤２、複数の操作卓４１〜４Ｎ及び音声通知装置３を備えている。系統監視盤２は複数の表示装置２１１〜２１Ｎから構成される。これらの機器は制御室２００内に設置されており、ＬＡＮケーブル又は無線通信を介して電子計算機１と接続される。図１では、ＬＡＮケーブルにより接続する例を示している。
【００１４】
電子計算機１はＣＰＵとネットワークアダプタを備え、各システムＡ，Ｂから事故情報や送電量等の各種情報を取得し、その情報を処理して系統監視盤２の表示装置２１１〜２１Ｎ及び操作卓４１〜４Ｎへの画像情報の出力と、音声通知装置３への音声情報の出力を行う。また、電子計算機１は、操作卓４１〜４Ｎからの操作入力を受信して、各システムへ送電指令や遮断指令等の各種操作指令を出力する。電子計算機１は記憶部としてデータベース５を備えており、データベース５には電力系統監視制御装置１００の動作に必要な各種データが格納されている。
【００１５】
具体的には、データベース５は、図２に示した制御室２００のレイアウト図を記憶している。レイアウト図は、制御室２００の内部という特定領域内における、操作卓４１〜４Ｎを含む各設備の配置を示すものである。
【００１６】
また、データベース５は、各システムＡ，Ｂに対する系統監視盤２の表示装置２１１〜２１Ｎ及び操作卓４１〜４Ｎの割り当て情報を記憶する。割り当て情報は、例えば、図３に示すように、表示装置２１１〜２１Ｎ及び操作卓４１〜４Ｎに付与された識別子をシステムＡ，Ｂごとにグループ分けして表示したテーブルである。電子計算機１は、この割り当て情報を参照して各システムＡ，Ｂの画像情報を、割り当てられた表示装置又は操作卓のみに出力する。
【００１７】
また、データベース５は、システムＡ，Ｂごとの音声通知範囲情報を記憶する。音声通知範囲情報とは、各システムの音声情報について、制御室２００内部のどの範囲に通知すべきかを示す情報である。通知範囲は、例えば、制御室２００内部という特定領域内における座標で示される。電子計算機１は、システムＡ，Ｂいずれかの音声情報を音声通知装置３に出力する際に、そのシステムの音声通知範囲情報も音声通知装置３に出力する。
【００１８】
系統監視盤２は、複数の表示装置２１１〜２１Ｎを並べて配置したものである。各表示装置２１１〜２１Ｎは、例えば液晶ディスプレイ又は有機ＥＬディスプレイ等の表示画面を備える。系統監視盤２は、電子計算機１が出力する画像情報を、各表示装置２１１〜２１Ｎに監視制御画面として表示させる。画像情報は、例えば、系統図や監視カメラ映像等の各システムの運用状況を示す情報である。本実施形態では、２つのシステムＡ，Ｂについての画像情報が存在するため、各表示装置２１１〜２１Ｎが、システムＡ，Ｂのいずれの画像情報を表示させるかが予め割り当てられている。この割り当て情報は、上述したように電子計算機１のデータベース５に格納されている。電子計算機１はこの割り当て情報を参照して、各システムＡ，システムＢそれぞれに割り当てられた表示装置に対してのみ画像情報を出力する。
【００１９】
複数の操作卓４１〜４Ｎには、それぞれ、監視制御業務を行うためのアプリケーションがインストールされた操作卓用電子計算機４１と、アプリケーションの起動により系統操作画面を表示させるモニタ４２と、入力装置としてのマウス４３及びキーボード４４が設置されている。運用担当者は、これらの操作卓４１〜４Ｎを用いてシステムＡ，Ｂの監視及び機器操作を行う。具体的にはモニタ４２及び系統監視盤２に表示された監視制御画面を見ながら、マウス４３又はキーボード４４を用いて操作内容を入力する。操作内容は、例えば事故時における遮断器の遮断指令や、回復後の遮断器投入指令等がある。
【００２０】
操作卓用電子計算機４１は電子計算機１に接続されており、入力された操作内容は電子計算機１から操作指令として各システムに出力される。本実施形態では、２つのシステムＡ，Ｂの監視制御を行っているため、各操作卓４１〜４ＮがシステムＡ，Ｂのいずれの監視制御を行うかが予め割り当てられている。操作卓４１〜４Ｎの割り当て情報も、上述したように電子計算機１のデータベース５に格納されている。電子計算機１はこの割り当て情報を参照して、各システムＡ，システムＢそれぞれに割り当てられた操作卓に対してのみ画像情報を出力する。また、各操作卓４１〜４Ｎからの操作入力も、割り当てられたシステムに対してのみ操作指令として出力する。
【００２１】
操作卓用電子計算機４１にインストールされたアプリケーションは、通知範囲設定モードを備えたものとすることができる。音声通知範囲設定モードにおいて、運用担当者はデータベース５に記憶されている音声通知情報の新規作成及び更新を行う。操作卓用電子計算機４１は、電子計算機１のデータベース５から制御室２００のレイアウト図を呼び出してモニタ４２に表示させる。
【００２２】
図２に示すように、レイアウト図は、特定領域である制御室２００の境界として外枠が示され、外枠内に制御室２００内の各設備を示すアイコンが配置されている。外枠内における各設備の位置は、実際の制御室２００内の位置に対応したものとなっている。アイコンとして表示する設備は、系統監視盤２、操作卓４１〜４Ｎだけでなく、例えば打合せコーナーやコピー機等、運用担当者が操作卓４１〜４Ｎから席を外して移動する可能性が高い設備を含めても良い。
【００２３】
音声通知範囲の設定は、システムＡ，Ｂごとに、運用担当者がレイアウト図上で音声通知を行いたい範囲をマウス４３等の入力装置で指定することで行う。指定入力された範囲は操作卓用電子計算機４１を介して電子計算機１に送信される。電子計算機１は、すでにそのシステムについて音声通知範囲情報がデータベース５に記憶されている場合は、指定入力された範囲を新たな音声通知範囲として更新する。データベース５にそのシステムについての音声通知範囲情報が無い場合には、指定入力された範囲をそのままそのシステムについての音声通知範囲情報として記憶する。
【００２４】
音声通知装置３は電子計算機１が出力した各システムＡ，Ｂに関する音声情報を通知する。各システムＡ，Ｂに関する音声情報とは、電子計算機１がネットワークを介して各システムＡ，Ｂから取得した情報を報知する音声情報と、操作卓用電子計算機４１による各システムＡ，Ｂに対する操作入力の内容を報知する音声情報を含む。本実施形態では、一つの制御室２００で複数のシステムＡ，Ｂの監視制御を行っており、操作卓４１〜４Ｎは２つのグループに分けられ、システムＡ，Ｂそれぞれに割り当てられている。そのため、各システムＡ，Ｂの音声情報は、割り当てられた操作卓のみに通知する。
【００２５】
音声通知装置３は、音声出力範囲を変更可能な指向性スピーカ３２１〜３２Ｎと、各スピーカ３２１〜３２Ｎに接続する音声出力装置３１１〜３１Ｎと、を備える。ここでは、「音声出力範囲」とは、スピーカから発した音が届く領域を意味する。指向性スピーカ３２１〜３２Ｎは、超音波を用いて音に強い指向性を持たせ、特定の範囲以外には音を聞こえにくくすることができる。指向性スピーカ３２１〜３２Ｎは公知の様々なタイプのものを使用することができる。指向性スピーカ３２１〜３２Ｎの数及び設置場所は、個々の最大音声出力範囲を考慮して、制御室２００内へ漏れなく音声を通知されるように適宜決定すると良い。
【００２６】
音声出力装置３１１〜３１Ｎは、電子計算機１に接続し、電子計算機１が出力する音声情報を取得して、ＡＤ変換処理、雑音低減処理等の音声処理を施して音声信号に変換し、指向性スピーカ３２１〜３２Ｎに出力する。
【００２７】
音声通知装置３は、さらに指向性スピーカ３２１〜３２Ｎの音声出力範囲を制御する出力範囲制御装置３３を備える。出力範囲制御装置３３は、電子計算機１に接続し、電子計算機１が出力する音声通知範囲情報を取得する。出力範囲制御装置３３は、音声通知範囲情報から各指向性スピーカ３２１〜３２Ｎの音声出力範囲を決定し、各指向性スピーカ３２１〜３２Ｎに出力する。音声出力範囲は、個々のスピーカ３２１〜３２Ｎの最大音声出力範囲と、電子計算機１から出力された音声通知範囲とが重複する領域となるように決定する。すなわち、自己の最大音声出力範囲と音声通知範囲が一部のみ重複する指向性スピーカは、重複する範囲のみが音声出力範囲となる。一方、自己の最大音声出力範囲と音声通知範囲が全く重複しない指向性スピーカは、音声出力範囲がゼロになる。
【００２８】
指向性スピーカ３２１〜３２Ｎは出力範囲制御装置３３で決定された音声出力範囲に従って自己の音声出力範囲を調整してから、音声出力装置３１１〜３１Ｎが出力した音声信号を出力する。音声出力範囲の調整は、指向性スピーカの種別によって異なるが、例えば、半球状のリフレクタホーンの内部にスピーカーボックスを配置したタイプであれば、スピーカーボックスの回転角度を変えることで出力範囲を調整することができる。
【００２９】
ここで、電力系統監視制御装置１００が設置された制御室２００のレイアウト例と、システムＡ，Ｂに対する設備の割り当て及び音声通知範囲の設定例を説明する。図２に示すように、系統監視盤２は、例えば、制御室２００前方の壁際に配置され、操作卓４１〜４Ｎは系統監視盤２の正面に配置されている。系統監視盤２の表示装置２１１〜２１Ｎは横一列に並べて配置されている。もちろん、これは一例に過ぎず、上下２列に配置する等、表示装置２１１〜２１Ｎの配置態様は自由に決定することができる。運用担当者は、各操作卓４１〜４Ｎにおいて、各表示装置２１１〜２１Ｎが表示する監視制御画面と操作卓４１〜４Ｎのモニタ４２が表示する監視制御画面を同時に見ながら監視制御業務を行う。
【００３０】
図４，図５及び図６の例では、音声通知装置３の指向性スピーカ３２１〜３２Ｎを、制御室２００の天井に、制御室２００の系統監視盤２がある正面側から、打合せコーナーのある奥側かけて２×４列で配置している（Ｎ＝８）。スピーカ同士の間隔は、個々の最大音声出力範囲に隙間が生じないように、かつ互いの音声出力可能範囲の重複が少なくなるように設定する。このような配置とすることで、制御室２００全体に漏れなく音声を通知することができ、かつスピーカ同士で音声出力範囲が重複する部分が少ないため、設置数を最小限にすることができる。
【００３１】
各システムＡ，Ｂに対する表示装置２１１〜２１Ｎと操作卓４１〜４Ｎの割り当ては、自由に決めることができるが、同じシステムの運用担当者同士がコミュニケーションを図りやすく、かつ監視制御画面も見やすくなるように割り当てを行うと良い。例えば、図２のレイアウト図において、操作卓４１〜４３及び４１０〜４１１と、これらの操作卓に近い表示装置２１１〜２１３までをシステムＡに割り当て、残りの操作卓４４〜４９及び４１２〜４Ｎ及び表示装置２１４〜２１ＮをシステムＢに割り当てる。
【００３２】
このようにシステムＡ，Ｂに対して割り当てを行った場合の音声通知範囲の設定例を、図７及び図８にそれぞれ示している。図７及び図８において、システムＡの音声通知範囲を一点鎖線で示し、システムＢの音声通知範囲を二点鎖線で示している。図７では、それぞれのシステムに割り当てられた操作卓を含む範囲を音声通知範囲として設定している。
【００３３】
図８では、システムＡが、割り当てられた操作卓４１〜４３及び４１０〜４１１に加えて、打合せコーナーを含む範囲を音声通知範囲として設定している。このような設定をしておけば、例えばシステムＡの運用担当者が操作卓から一時的に離席して打合せコーナーで打合せを行う場合に、打合せコーナーにおいても音声情報を聞くことができる。また、両システムともコピー機の周辺も音声通知範囲として設定している。これによって、運用担当者が一時的に離席してコピー機にコピーを取りに行った時も、音声情報を聞くことができる。なお、このような設定をした場合は、どのシステムに関する音声情報がわかるように、音声情報においてシステム名をアナウンスすることが望ましい。
【００３４】
［動作］
上述した構成を有する電力系統監視制御装置１００の動作を説明する。
［音声通知範囲の設定動作］
まず、操作卓４１〜４Ｎにおける音声情報の通知範囲の設定動作を説明する。運用担当者によって、操作卓用電子計算機４１にインストールされているアプリケーションが通知範囲設定モードに切り換えられると、操作卓４１〜４Ｎの操作卓用電子計算機４１が電子計算機１のデータベース５に記憶されている制御室２００のレイアウト図を呼び出し、モニタ４２に表示させる。通知範囲の設定は、システムＡ，システムＢそれぞれについて行う。図９はシステムＡの通知範囲設定画面の一例である。図９に示すように、レイアウト画面には、システムＡ，Ｂの表示装置２１１〜２１Ｎ及び操作卓４１〜４Ｎの割り当てを表示しても良い。運用担当者はこれらの割り当てを参考にして音声通知範囲を指定することができる。
【００３５】
運用担当者はマウス４３を操作してポインタをレイアウト図上で移動させて、音声情報を通知したい範囲の外周をなぞるようにマウス４３ボタンを押下しながらポインタを移動させる。マウス４３ボタンの押下が解除されると、操作卓用電子計算機４１は指定範囲の入力を受け付け、選択された範囲内の設備を含める形で、仮の選択枠Ｆをレイアウト図に表示させる。さらに「選択した範囲を音声通知範囲として設定しますか？」というメッセージを表示させる。運用担当者が「いいえ」のボタンを押下した場合は、選択枠Ｆを解除して、新たな指定範囲の入力を受け付ける。運用担当者が「はい」のボタンを押下した場合は、選択枠Ｆ内の領域を新たな通知範囲として設定する。すなわち、操作卓用電子計算機４１は選択枠Ｆ内の領域の座標を電子計算機１に送信し、電子計算機１はその領域の座標を、システムＡの新たな音声通知範囲の座標として、データベース５に記憶させる。システムＢについても、システムＡの場合と同様に音声通知範囲の設定を行うことができる。
【００３６】
なお、運用担当者による通知範囲の指定入力に対して、警告を表示させるようにしても良い。例えば、指定範囲にシステムＡに割り当てられている操作卓４１〜４３、４１０〜４１１のいずれかが含まれていない場合に、その旨を通知する警告メッセージを表示しても良い。あるいは、システムＡの設定においてシステムＢに割り当てられている操作卓４４〜４９及び４１２〜４Ｎのいずれかが指定範囲に含まれている場合にも、その旨を通知する警告メッセージを表示しても良い。さらに、指定範囲に操作卓４１〜４Ｎが一つも含まれていないときは、入力を受け付けない旨の警告メッセージを表示し、さらに操作卓を含む範囲指定入力を行うように運用担当者を促すメッセージを表示しても良い。
【００３７】
［音声通知動作］  
次に、システムＡ，Ｂごとの音声情報の通知動作を、図１０のフローチャートを用いて説明する。上述したように、電力系統監視制御装置１００は、システムからの事故情報等の情報と、操作卓による操作内容を報知する音声情報を通知するが、ここでは、システムからの事故情報の通知を行う場合を説明する。
【００３８】
電子計算機１は、いずれかのシステムからの事故情報を含む信号を検出すると（Ｓ１０１：Ｙｅｓ）、その信号がシステムＡ、システムＢどちらのものであるか確認を行う（Ｓ１０２）。
【００３９】
システムＡの信号である場合（ステップＳ１０２：Ｙｅｓ）には、電子計算機１は、取得した信号から、システムＡの事故情報を報知する音声情報を生成し、音声出力装置３１１〜３１Ｎに出力する（ステップＳ１０３）。なお、電子計算機１は、音声情報に加えて画像情報も生成し、データベース５に記憶した割り当て情報を参照して、システムＡに割り当てられた表示装置及び操作卓へ送信する。
【００４０】
音声出力装置３１１〜３１Ｎは受信した音声情報にＡＤ変換処理、雑音低減処理等の音声処理を施して音声信号を生成し、それぞれの指向性スピーカ３２１〜３２Ｎに出力する（ステップＳ１０４）。電子計算機１は、音声情報の出力と共に、データベース５の音声通知範囲情報を参照して、システムＡに対する音声通知範囲情報、すなわち音声通知範囲の座標を出力範囲制御装置３３に出力する（ステップＳ１０５）。出力範囲制御装置３３は、音声通知範囲の座標を受信すると、音声通知範囲と各指向性スピーカ３２１〜３２Ｎの最大音声出力範囲の重複する領域を音声出力範囲として指定して、各指向性スピーカ３２１〜３２Ｎに出力する（ステップＳ１０６）。各指向性スピーカ３２１〜３２Ｎは、指定された音声出力範囲に従って、音声出力装置３１１〜３１Ｎから受信した音声信号を出力して、音声情報の通知を行う（ステップＳ１０７）。
【００４１】
システムＢからの信号を検出した場合は（ステップＳ１０２：Ｎｏ）は、ステップＳ１０８〜ステップＳ１１２において、システムＡと同様の動作を行う。
【００４２】
[作用効果]
（１）本実施形態の電力系統監視制御装置１００は、複数の電力系統であるシステムＡ，Ｂを監視可能なものである。電力系統監視制御装置１００は、制御室２００に設置されたシステムＡ，Ｂの監視制御画面を表示する表示手段としての系統監視盤２と、システムＡ，Ｂいずれかの機器に対する操作入力を受け付ける入力部としての操作卓用電子計算機４１をそれぞれに備えた複数の操作卓４１〜４Ｎとを備えている。複数の操作卓４１〜４Ｎの周囲には、音声出力範囲を変更可能な指向性スピーカ３２１〜３２Ｎと配置した。電力系統監視制御装置１００はまた、システムＡ，Ｂから取得した情報又は操作卓用電子計算機４１によるシステムＡ，Ｂの機器に対する操作入力に基づいて、システムＡ，Ｂに関する音声情報を生成して指向性スピーカ３２１〜３２Ｎに出力する電子計算機１と、音声情報が、システムＡ，Ｂごとに特定範囲のみに通知されるように、指向性スピーカ３２１〜３２Ｎの音声出力範囲を制御する制御装置としての出力範囲制御装置３３と、を備えるようにした。
【００４３】
これによって、複数の電力系統を一つの制御室２００で監視制御する場合でも、音声出力範囲を変更可能な指向性スピーカ３２１〜３２Ｎを設置して、その音声出力範囲を電力系統ごとに制御することで、各電力系統に関する音声情報を任意の操作卓のみに通知することができ、同一制御室２００で複数の電力系統を監視制御する場合でも、電力系統ごとの監視体制の独立性を保ち、電力監視の信頼性を向上させることができる。
【００４４】
（２）電子計算機１は、システムＡ，Ｂごとに、音声通知範囲情報を記憶する記憶部としてのデータベース５を有する。電子計算機１は、指向性スピーカ３２１〜３２Ｎに対してシステムＡ，Ｂいずれかに関する音声情報を出力する際に、そのシステムの音声通知範囲情報を出力範囲制御装置３３に出力する。
【００４５】
各システムの音声通知範囲を予め決定して音声通知範囲情報としてデータベース５に記憶し、各システムの音声情報と共に音声通知範囲情報を出力することで、容易に指向性スピーカ３２１〜３２Ｎの出力範囲を制御することができ、高い利便性を提供することができる。
【００４６】
（３）電子計算機１のデータベース５は、制御室２００に設置された複数の操作卓４１〜４Ｎを含む設備の配置を示すレイアウト図を記憶している。複数の操作卓４１〜４Ｎのうち、少なくとも一つの操作卓の操作卓用電子計算機４１は、システムＡ，Ｂごとにレイアウト図上への範囲指定入力を受け付け、電子計算機１は指定入力に基づいてデータベース５に記憶させたシステムＡ，Ｂの音声通知範囲情報を変更する。これによって、音声通知範囲を自由に設定することができ、柔軟性に優れた監視制御が可能となる。
【００４７】
（４）電子計算機１のデータベース５は、システムＡ，Ｂに対する複数の操作卓４１〜４Ｎの割り当てを示す割り当て情報を記憶している。操作卓用電子計算機４１は、システムＡ，Ｂのいずれかについてレイアウト図上への範囲指定入力を受け付けた際に、システムＡ，Ｂそれぞれに割り当てられた操作卓の中で指定範囲に含まれていない操作卓がある場合には、警告を発するようにしても良い。これによって、各システムＡ，Ｂに割り当てられた操作卓に対して適切な音声情報が通知されるように、通知範囲の設定を支援することができる。
【００４８】
（５）あるいは、操作卓用電子計算機４１は、システムＡ，Ｂのいずれかについてレイアウト図上への範囲指定入力を受け付けた際に、そのシステムに割り当てられていない操作卓が指定範囲に含まれている場合には、警告を発するようにしても良い。これによって、各システムＡ，Ｂに割り当てられていない操作卓に対してそのシステムの音声情報が通知されないように、通知範囲の設定を支援することができる。
【００４９】
（６）また、あるいは、操作卓用電子計算機４１は、レイアウト図上に指定入力された範囲に少なくとも１つの操作卓が含まれていない場合には、指定入力を受け付けない旨の警告を発しても良い。これによって、運用担当者の設定ミス等により音声通知情報が全く通知されない状態を防止することができる。
【００５０】
［第２の実施形態］
［構成及び動作］
本発明の第２の実施形態に係る電力系統監視制御装置１００を、図１１〜図１４を参照して説明する。なお、以降の実施形態では、第１の実施形態とは異なる点のみを説明し、第１の実施形態と同じ部分については同じ符号を付して詳細な説明は省略する。
【００５１】
第２の実施形態では、システムＡ，システムＢ及びシステムＣの、３つの電力系統の監視制御を行う例を説明する。
【００５２】
第１の実施形態では、複数のシステムに対する表示装置２１１〜２１Ｎ及び操作卓４１〜４Ｎの割り当ては固定されていたが、第２の実施形態では時間帯や状況に応じて割り当てを変更する態様を説明する。そのため、図１１に示すように、データベース５にはシステムＡ，Ｂ，Ｃに対する表示装置２１１〜２１Ｎ及び操作卓４１〜４Ｎの複数の割り当てパターンが記憶されている。
【００５３】
図１２に、パターンＰＴＮ１とパターンＰＴＮ２の２種類の割り当てパターンの例を示している。また、図１３にパターンＰＴＮ１に従った表示装置２１１〜２１Ｎ及び操作卓４１〜４Ｎの使用状況を示し、図１４にパターンＰＴＮ２に従った表示装置２１１〜２１Ｎ及び操作卓４１〜４Ｎの使用状況を示している。
【００５４】
パターンＰＴＮ１では、３つのシステムＡ，Ｂ，Ｃにそれぞれ表示装置２１１〜２１Ｎ及び操作卓４１〜４Ｎを割り当てているが、パターンＰＴＮ２では２つのシステムＡ，Ｃに対してのみ表示装置２１１〜２１Ｎ及び操作卓４１〜４Ｎを割り当てている。これは、例えば、システムＢが夜間等に稼働しない時間帯が有り、監視制御が不要な場合が想定される。システムＢの監視制御が不要となるので、その時間帯はシステムＢの表示装置２１１〜２１Ｎや操作卓４４〜４６及４１２〜４１３を他のシステム、例えばシステムＡに割り当てる。
【００５５】
そのために、データベース５に３つのシステムＡ，Ｂ及びＣが稼働している場合の割り当てパターンＰＴＮ１と、２つのシステムＡ，Ｃのみ稼動している場合の割り当てパターンＰＴＮ２を記憶しておく。第１の実施形態で述べたように、電子計算機１は割り当て情報を参照して各システムの画像情報を表示装置２１１〜２１Ｎ及び操作卓４１〜４Ｎに出力しているが、運用担当者からパターン切り換えの操作入力があると、参照する割り当てパターンを変更する。これによって、速やかに監視制御画面の切り換えが可能となる。
【００５６】
また、第２の実施形態では、音声通知範囲情報を割り当てパターンごとに記憶している。パターンごとの音声通知範囲情報は自由に設定することができるが、例えば、少なくともシステムＡ，Ｂ，Ｃそれぞれに割り当てられた操作卓を含む範囲を指定すると良い。この割り当てパターンごとの音声通知範囲情報も、操作卓用電子計算機４１にインストールされているアプリケーションの通知範囲設定モードで設定することができる。
【００５７】
運用担当者が、いずれかの操作卓４１〜４Ｎの入力装置を用いて割り当てパターンの切り換え要求を行うと、切り換え要求は操作卓用計算機を介して電子計算機１に入力される。電子計算機１は、切り換え要求に従って、画像情報及び音声情報を出力する際に参照する割り当てパターンを変更する。同時に、音声情報と共に出力する音声通知範囲情報を、切り替えた割り当てパターンに対応するものに切り換える。これによって、表示装置２１１〜２１Ｎ及び操作卓４１〜４Ｎの使用範囲と音声情報の通知範囲の切り換えが連動して行われる。
【００５８】
なお、割り当てパターンは上述した例に限られず、任意に設定可能である。例えば、表示装置２１１〜２１Ｎや操作卓４１〜４Ｎの一部の電源を落として使用しないパターンを設定しても良い。この場合は、音声通知範囲も割り当てパターンに合わせて範囲を狭めて設定しても良い。
【００５９】
［作用効果］
系統監視盤２は、各電力系統の監視制御画面を切り換え可能に表示する複数の表示部としての表示装置２１１〜２１Ｎを有している。第２の実施形態において、電子計算機１のデータベース５は、システムＡ，Ｂ及びＣに対する複数の表示装置２１１〜２１Ｎ及び複数の操作卓４１〜４Ｎの割り当てを示す複数の割り当てパターンと、各割り当てパターンに対応する音声情報の通知範囲情報を記憶している。電子計算機１は、割り当てパターンに従って複数の表示装置２１１〜２１Ｎ及び複数の操作卓４１〜４Ｎに対して切り換え指令を出力する際に、出力範囲制御装置３３に対して切り換えた割り当てパターンに対応する通知範囲情報を出力する。
【００６０】
表示装置２１１〜２１Ｎ及び操作卓４１〜４Ｎの使用範囲の切り換えに連動して音声通知範囲を切り換えることで、例えば日勤業務と夜間業務といった運用担当者の配置状況の変化に柔軟に対応することができ、より自由度を持たせたシステム運用を行うことができる。
【００６１】
［第３の実施形態］
［構成及び動作］
本発明の第３の実施形態に係る電力系統監視制御装置１００を、図１５〜図１８を参照して説明する。第３の実施形態でも、システムＡ，システムＢ及びシステムＣの、３つの電力系統の監視制御を行う例を説明する。
【００６２】
第３の実施形態では、系統監視盤２の表示装置２１１〜２１Ｎの一部に不具合が生じた場合に、柔軟に表示装置２１１〜２１Ｎ及び操作卓４１〜４ＮのシステムＡ，Ｂ及びＣに対する割り当てを切り換え、かつ音声通知範囲も連動して切り換える。そのために、図１５に示すように、データベース５には、正常時及び不良時の、システムＡ，Ｂ，Ｃに対する表示装置２１１〜２１Ｎ及び操作卓４１〜４Ｎの割り当てパターンを記憶している。
【００６３】
図１６に、データベース５に格納されている正常時パターン及び不良時パターンの一例を示している。また、図１７に正常時パターンに従った表示装置２１１〜２１Ｎ及び操作卓４１〜４Ｎの使用状況を示し、図１８に不良時パターンに従った表示装置２１１〜２１Ｎ及び操作卓４１〜４Ｎの使用状況を示している。
【００６４】
正常時パターンＮＯＲ１は、全ての表示装置２１１〜２１Ｎが正常に動作している場合の、システムＡ，Ｂ及びＣに対する表示装置２１１〜２１Ｎ及び操作卓４１〜４Ｎの割り当て情報である。図１７に示すように、正常時パターンＮＯＲ１においては、表示装置２１１〜２１Ｎを３つのブロックに分け、各ブロックの表示装置の近傍の操作卓と共にシステムＡ，Ｂ及びＣそれぞれに割り当てている。
【００６５】
不良時パターンは、いずれかの表示装置が故障等によって表示不良を起こした場合の、残りの表示装置及び操作卓の割り当て情報である。図１６では、一例として、表示装置２１５が表示不良を起こした場合の不良時パターンＡＬＭ１を示しているが、他の表示装置が表示不良を起こした場合のパターンについてもデータベース５に記憶できることは言うまでもない。
【００６６】
図１８に示すように、不良時パターンＡＬＭ１においては、正常時においてシステムＢに割り当てられていた表示装置２１５が表示不良となっている。そのため、システムＢに割り当てられていた残りの表示装置２１４と、システムＡに割り当てられていた表示装置２１１〜２１３をシステムＡ及びシステムＢの両方の割り当てに切り換える。操作卓についても、正常時はシステムＡ及びシステムＢにそれぞれ割り当てられていた操作卓４１〜４６、４１０〜４１３を、まとめてシステムＡ及びシステムＢの割り当てに切り換える。
【００６７】
１つのグループに複数のシステムＡ，Ｂ及びＣを割り当てた場合の、表示装置２１１〜２１Ｎの表示態様については、表示装置の大きさや表示する画像情報の種類に応じて、適宜決定することができる。例えば、一つのシステムに割り当てられた表示装置が、系統図や監視カメラ画像等の複数の画像をそれぞれ表示している場合、監視カメラ画像等の比較的重要度の低い画像の表示していた表示装置が、他のシステムの系統図等の比較的重要な画像を表示するように切り換えることができる。あるいは、１つの表示装置の画面を分割して、複数のシステムの監視制御画面を表示するようにしても良い。
【００６８】
第３の実施形態は、正常時パターン及び不良時パターンそれぞれに対応する音声通知範囲情報を記憶している。パターンごとの音声通知範囲情報は自由に設定することができるが、例えば、少なくともシステムＡ，Ｂ，Ｃそれぞれに割り当てられた操作卓を含む範囲を指定すると良い。このパターンごとの音声通知範囲情報も、操作卓用電子計算機４１にインストールされているアプリケーションの通知範囲設定モードで設定することができる。
【００６９】
いずれかの表示装置、例えば表示装置２１５に表示不良が起きた時、運用担当者がいずれかの操作卓４１〜４Ｎの入力装置を用いて割り当てパターンの切り換え要求を行うと、切り換え要求は操作卓用計算機を介して電子計算機１に入力される。電子計算機１は参照する割り当てパターンを、正常時パターンＮＯＲ１から不良時パターンＡＬＭ１に変更する。これによって、いずれかの表示装置に不良があっても、速やかに残りの健全な表示装置を使用した監視制御業務へ移行することができる。なお、切り換え後、複数のシステムを割り当てられた操作卓については、予めいずれのシステムに対して操作入力を行うか、運用担当者からの指定入力を受け付けるようにしても良い。
【００７０】
電子計算機１は、パターン切り換えと同時に、音声通知装置３に対して音声情報と共に出力する音声通知範囲情報を、切り替えた割り当てパターンに対応するものに切り換える。また音声情報の通知範囲の切り換えも連動して速やかに行うことができる。なお、切り換え後は、複数のシステムの音声通知範囲が重複する可能性もあるため、どのシステムに関する音声情報がわかるように、音声情報においてシステム名をアナウンスするようにしても良い。
【００７１】
なお、正常時及び不良時の割り当てパターンは上述した例に限られず、任意に設定可能である。さらに、不良時のパターンとして、２以上の表示装置が表示不良を起こした場合のパターンを記憶しても良い。
【００７２】
［作用効果］
系統監視盤２は、システムＡ，Ｂ及びＣの監視制御画面を切り換え可能に表示する複数の表示部としての表示装置２１１〜２１Ｎを有している。本実施形態において、データベース５は、全ての表示装置２１１〜２１Ｎが正常に動作する場合の、システムＡ，Ｂ及びＣに対する複数の表示装置２１１〜２１Ｎ及び複数の操作卓４１〜４Ｎの割り当てを示す正常時割り当てパターンＮＯＲ１と、少なくとも一つの表示装置が不良動作した場合の、残りの表示装置及び複数の操作部のシステムＡ，Ｂ及びＣに対する割り当てを示す不良時割り当てパターンＡＬＭ１と、正常時割り当てパターンＮＯＲ１及び不良時割り当てパターンＡＬＭ１にそれぞれ対応する音声通知範囲情報を記憶している。電子計算機１は、正常時割り当てパターンＮＯＲ１又は不良時割り当てパターンＡＬＭ１に従って複数の表示装置２１１〜２１Ｎ及び複数の操作卓４１〜４Ｎに対して切り換え指令を出力する際に、出力範囲制御装置３３に対して正常時割り当てパターンＮＯＲ１又は不良時割り当てパターンＡＬＭ１に対応する音声通知範囲情報を出力する。
【００７３】
系統監視盤２の表示装置２１５の故障時においても、残りの健全な表示装置２１１〜２１４及び２１６〜２１Ｎでの監視制御業務にスムーズに移行することができるため、システムの監視制御が不能となる時間を減らすことが可能となり、システムの信頼性を向上させることができる。
【００７４】
［その他の実施形態］
（１）指向性スピーカの配置は、上述の実施形態で説明したものに限られない。操作卓の配置や指向性スピーカの性能によって、音声情報が制御室２００に漏れなく通知されるように数や設置位置を適宜決定することができる。例えば、広範囲の出力が可能であり、かつ音声出力範囲の詳細な制御が可能なスピーカであれば、例えば、系統監視盤２の上部に、１つあるいは２つだけ設置するような態様にしても良い。
【００７５】
（２）本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７６】
１  電子計算機
１００  電力系統監視制御装置
２００  制御室
Ａ，Ｂ，Ｃ  システム（電力系統）
２  系統監視盤
３  音声通知装置
３１１〜３１Ｎ  音声出力装置
３２１〜３２Ｎ  指向性スピーカ
３３  出力範囲制御装置
４１〜４Ｎ  操作卓
４１  操作卓用電子計算機
４２  モニタ
４３  マウス
４４  キーボード
５  データベース
２１１〜２１Ｎ  表示装置
【図１】
2015228769.tif 000003
【図２】
2015228769.tif 000004
【図３】
2015228769.tif 000005
【図５】
2015228769.tif 000006
【図６】
2015228769.tif 000007
【図７】
2015228769.tif 000008
【図８】
2015228769.tif 000009
【図９】
2015228769.tif 000010
【図１０】
2015228769.tif 000011
【図１１】
2015228769.tif 000012
【図１２】
2015228769.tif 000013
【図１３】
2015228769.tif 000014
【図１４】
2015228769.tif 000015
【図１５】
2015228769.tif 000016
【図１６】
2015228769.tif 000017
【図１７】
2015228769.tif 000018
【図１８】
2015228769.tif 000019
【図４】
2015228769.tif 000020